(57)【要約】【課題】液晶ディスプレイパネルの中間調イメージを表示する際の色変動を改善すること。【解決手段】ＬＣＤパネルは、第１の基板、第２の基板、液晶層、複数の第１の調整パターン、第２の調整パターン、第３の調整パターンを含む。ＬＣ層は、第１および第２の基板の間で配列される。複数の第１、第２、第３サブピクセル領域は、第２の基板の上で定められる。第１の調整パターンは、第１および第２の方向に沿って第１のサブピクセル領域に配置され、ここで第１の方向と第２の方向の角度θ１である。第２の調整パターンは、第３および第４の方向に沿って第２のサブピクセル領域内に配置され、第３の方向とが第４の方向は角度θ２である。第３の調整パターンは、第５および第６の方向に沿って第３のサブピクセル領域内に配置され、第５の方向と第６の方向が角度θ３であり、θ１≦θ２＜θ３である。【選択図】図４
2008033254.tif 000002
【特許請求の範囲】
【請求項１】
第１の基板と、
複数の第１のサブピクセル領域、複数の第２のサブピクセル領域、複数の第３のサブピクセル領域が定められる第２の基板と、
第１の基板と第２の基板の間に配置される液晶層と、
第１の方向と第２の方向に沿って第１のサブピクセル領域内に配置され、第１の方向と第２の方向が角度θ１である複数の第１の調整パターンと、
第３の方向と第４の方向に沿って第２のサブピクセル領域内に配置され、第３の方向と第４の方向が角度θ２であり、θ１≦θ２である複数の第２の調整パターンと、
第５の方向と第６の方向に沿って第３のサブピクセル領域内に配置され、第５の方向と第６の方向が角度θ３であり、θ２＜θ３である複数の第２の調整パターンと、
を備えることを特徴とする液晶ディスプレイパネル
【請求項２】
第１のサブピクセル領域内に配置される複数の第１のカラーフィルターパターンと、
第２のサブピクセル領域内に配置される複数の第２のカラーフィルターパターンと、
第３のサブピクセル領域内に配置される複数の第３のカラーフィルターパターンとを備え、
第１のカラーフィルターパターンの伝達波長は第２のカラーフィルターパターンの伝達波長より大きく、第２のカラーフィルターパターンの伝達波長は第３のカラーフィルターパターンの伝達波長より大きい、請求項１に記載の液晶ディスプレイパネル。
【請求項３】
第１のカラーフィルターパターンは赤のカラーフィルターパターンを含み、第２のカラーフィルターパターンは緑のカラーフィルターパターンを含み、第３のカラーフィルターパターンは青のカラーフィルターパターンを含む、請求項２に記載の液晶ディスプレイパネル。
【請求項４】
第１の調整パターンは、第１の方向と第２の方向に沿って第２の基板の第１のサブピクセル領域の反対側にある第１の基板上の領域を更に含み、
第２の調整パターンは、第３の方向と第４の方向に沿って第２の基板の第２のサブピクセル領域の反対側にある第１の基板上の領域を更に含み、
第３の調整パターンは、第５の方向と第６の方向に沿って第２の基板の第３のサブピクセル領域の反対側にある第１の基板上の領域を更に含む、請求項１に記載の液晶ディスプレイパネル。
【請求項５】
第１の基板は、第１の透明な電極層を更に表面に配置し、第２の基板は、第２の透明な電極層を更に表面に配置し、第１、第２、第３の調整パターンはそれぞれ、第１の透明な電極層の上にと複数の突起を備え、第２の透明な電極層に形成された複数のスリットを備える請求項４に記載の液晶ディスプレイパネル。
【請求項６】
第１の基板は、第１の透明な電極層を更に表面に配置し、第２の基板は、第２の透明な電極層を更に表面に配置し、第１、第２、第３の調整パターンはそれぞれ、第２の透明な電極層の上にと複数の突起を備え、第１の透明な電極層に形成された複数のスリットを備える請求項４に記載の液晶ディスプレイパネル。
【請求項７】
第１、第２、第３の調整パターンは、突起を含む請求項４に記載の液晶ディスプレイパネル。
【請求項８】
第１、第２、第３の調整パターンは、カラーフィルタリング材料、透明な感光材料、またはその組合せのいずれかである請求項７に記載の液晶ディスプレイパネル。
【請求項９】
第１、第２、第３の調整パターンは、スリットを含む請求項４に記載の液晶ディスプレイパネル。
【請求項１０】
第１、第２、第３の調整パターンは、突起を含む請求項１に記載の液晶ディスプレイパネル。
【請求項１１】
第１、第２、第３の調整パターンの材料は、カラーフィルタリング材料、透明な感光材料、またはその組合せのいずれかである請求項１０に記載の液晶ディスプレイパネル。
【請求項１２】
第１、第２、第３の調整パターンは、スリットを含む請求項１に記載の液晶ディスプレイパネル。
【請求項１３】
角度θ１が９０度と等しい請求項１に記載の液晶ディスプレイパネル。
【請求項１４】
角度θ２が９０度と１２０度の間にある請求項１に記載の液晶ディスプレイパネル。
【請求項１５】
角度θ３が１１０度と１３０度の間にある請求項１に記載の液晶ディスプレイパネル。
【請求項１６】
第１の基板が薄膜トランジスタ配列基板であり、第２の基板がカラーフィルター基板である請求項１に記載の液晶ディスプレイパネル。
【発明の詳細な説明】
【技術分野】
【０００１】
本発明は、一般にディスプレイパネルに関するものである。特に、本発明は、マルチ領域垂直調整（ＭＶＡ）液晶ディスプレイパネルに関するものである。
【背景技術】
【０００２】
近年、半導体製造法と光電子テクノロジーの成熟を受けて、フラットパネルディスプレイ（ＦＰＤ）は大きく進んでいる。たとえば、低電圧で動作し、放射線のない、軽量、最小ボリュームという長所を有している液晶ディスプレイ（ＬＣＤ）は、近年、主流ディスプレイ製品として、従来のＣＲＴディスプレイに徐々にとって代わった。しかし、ＬＣＤは狭い視野角という問題が依然としてある。この問題を解決するために、ディスプレイの視野角を広げるための様々な技術が提案され、それによって、特定の種類のディスプレイが提供される。たとえば、ワイドビューフィルムを有するツイスティッド・ネマチック（ＴＮ）ＬＣＤ、面内切換型（ＩＰＳ）ＬＣＤ、周辺フィールド切換ＬＣＤ、マルチ領域垂直調整（ＭＶＡ）ＬＣＤ、などがある。
【０００３】
図１は、従来のＭＶＡ−ＬＣＤパネルを図式的に表している断面図である。図１を参照すると、従来のＭＶＡ  ＬＣＤパネル１００は、主にカラーフィルター基板１１０、薄膜トランジスタ（ＴＦＴ）配列基板１２０、液晶（ＬＣ）層１３０から成る。ここでは、カラーフィルター基板１１０は、複数のカラーフィルターパターンＲ１０、Ｇ１０、Ｂ１０を有し、表面に複数の調整突起１１２をもつ。これらの調整突起１１２は、近くの電界方向を変えるのに用いられ、それによりＬＣ層１３０の液晶分子がマルチドメイン配置として表示される。
【０００４】
図２は図１のＬＣＤパネルの１つの一つのピクセルを図式的に表している上面図である。そして、図３は、１つの方向に沿って傾けられた液晶分子を図式的に表す。図２と３を参照すると、ＬＣＤパネル１００の１ピクセルは、カラーフィルターパターンＲ１０、Ｇ１０、Ｂ１０の配置位置にしたがって、３つのサブピクセル領域１０２、１０４、１０６に分けることができる。ＬＣＤのバックライト源がカラーフィルターパターンＲ１０、Ｇ１０とＢ１０を通過したあと、赤、緑、青のライトがそれぞれ形成される。さらに、光の最大透過率を得るために、液晶分子１３２を傾けるために使われる電圧を印加している間、角度θが図３で示すように４５度であることが必要となる。ここで角度θは、液晶分子１３２がカラーフィルター基板１１０に投影される長軸方向Ｃ１と軸Ｃ２の間の角度であり、軸Ｃ２が各々のサブピクセル領域１０２、１０４、１０６の長い側面と平行である。したがって、ＴＦＴ−ＬＣＤ  １００の各々のサブピクセル領域１０２、１０４、１０６の内側にある調整突起１１２のすべては、光の透過率を最大にするために、第１の方向Ａ１と第２の方向Ａ２に沿って配置される。ここでは、第１の方向Ａ１と第２の方向Ａ２の間の角度θは９０度であるので、液晶分子１３２が傾けられるとき長軸方向Ｃ１と軸Ｃ２の間の角度θは４５度となる。
【発明の開示】
【発明が解決しようとする課題】
【０００５】
しかし、ＬＣ層１３０の液晶分子１３２の傾き配列は、中間調イメージを表示する際に調整突起１１２に影響を受けるので、異なる波長では光の透過率は異なる場合があり、したがって、より短い波長の光では透過率はより高い。つまり、青色光の透過率は、緑色光の透過率より大きく、緑色光の透過率は、赤色光の透過率より大きい。したがって、赤、緑、青の光の強度は、カラーフィルターパターンＲ１０、Ｇ１０とＢ１０を通過する白色光によって形成されるが、中間調イメージを表示する際にＬＣＤパネルで色シフトの問題があり、表示品質を悪化させる。
【０００６】
本発明は、中間調イメージを表示する際の色変動を改善した液晶ディスプレイパネルを提供することを目的とする。
【課題を解決するための手段】
【０００７】
上記のおよび他の目的に基づいて、本発明は、第１の基板、第２の基板、液晶層、複数の第１の調整パターン、第２の調整パターン、第３の調整パターンを含むＬＣＤパネルを提供する。液晶層は、第１および第２の基板の間で配列される。複数の第１、第２、第３サブピクセル領域は、第２の基板の上で定められる。第１の調整パターンは、第１および第２の方向に沿って第１のサブピクセル領域に配置され、ここで第１の方向と第２の方向の角度θ１である。第２の調整パターンは、第３および第４の方向に沿って第２のサブピクセル領域内に配置され、第３の方向とが第４の方向は角度θ２である。第３の調整パターンは、第５および第６の方向に沿って第３のサブピクセル領域内に配置され、第５の方向と第６の方向が角度θ３であり、θ１≦θ２＜θ３である。
【０００８】
上記の液晶ディスプレイパネルはさらに、第１のサブピクセル領域内に配置される複数の第１のカラーフィルターパターンと、第２のサブピクセル領域内に配置される複数の第２のカラーフィルターパターンと、第３のサブピクセル領域内に配置される複数の第３のカラーフィルターパターンとを備える。ここで、第１のカラーフィルターパターンの伝達波長は第２のカラーフィルターパターンの伝達波長より大きく、第２のカラーフィルターパターンの伝達波長は第３のカラーフィルターパターンの伝達波長より大きい。
【０００９】
上述の液晶ディスプレイパネルにおいて、第１のカラーフィルターパターンは赤のカラーフィルターパターンであり、第２のカラーフィルターパターンは緑のカラーフィルターパターンであり、第３のカラーフィルターパターンは青のカラーフィルターパターンである。
【００１０】
上述の液晶ディスプレイパネルにおいて、第１の調整パターンは、第１の方向と第２の方向に沿って第２の基板の第１のサブピクセル領域の反対側にある第１の基板上の領域を更に含む。第２の調整パターンは、第３の方向と第４の方向に沿って第２の基板の第２のサブピクセル領域の反対側にある第１の基板上の領域を更に含む。第３の調整パターンは、第５の方向と第６の方向に沿って第２の基板の第３のサブピクセル領域の反対側にある第１の基板上の領域を更に含む。
【００１１】
上述の液晶ディスプレイパネルにおいて、第１の基板は、第１の透明な電極層を更に表面に配置してもよく、第２の基板は、第２の透明な電極層を更に表面に配置してもよく、第１、第２、第３の調整パターンはそれぞれ、第１の透明な電極層の上にと複数の突起を備え、第２の透明な電極層に形成された複数のスリットを備える。
【００１２】
上述の液晶ディスプレイパネルにおいて、第１の基板は、第１の透明な電極層を更に表面に配置してもよく、第２の基板は、第２の透明な電極層を更に表面に配置してもよく、第１、第２、第３の調整パターンはそれぞれ、第２の透明な電極層の上にと複数の突起を備え、第１の透明な電極層に形成された複数のスリットを備える。
【００１３】
上述の液晶ディスプレイパネルにおいて、たとえば、第１、第２、第３の調整パターンは、スリットである。また、第１、第２、第３の調整パターンは、たとえば、カラーフィルタリング材料、透明な感光材料、またはその組合せのいずれかである。
【００１４】
上述の液晶ディスプレイパネルにおいて、たとえば、第１、第２、第３の調整パターンは突起である。
【００１５】
上述の液晶ディスプレイパネルにおいて、角度θ１は、９０度と等しい。上述の液晶ディスプレイパネルにおいて、角度θ２は、たとえば９０度と１２０度の間にある。
【００１６】
上述の液晶ディスプレイパネルにおいて、角度θ３は、たとえば１１０度と１３０度の間にある。
【００１７】
上述の液晶ディスプレイパネルにおいて、第１の基板は薄膜トランジスタ配列基板である。そして、たとえば、第２の基板はカラーフィルター基板である。
【００１８】
上述の説明から、本発明に従うＬＣＤパネルは、異なる方向に沿って調整パターンを第１、第２、第３のサブピクセル領域内に配置し、従来技術の異なる波長の光が異なる透過率をもつ結果として、色シフト現象を改善し、それによってＬＣＤの表示品質を上げる。
【発明を実施するための最良の形態】
【００１９】
添付の図面は発明の更なる理解を提供するためにあり、明細書の中に組み込まれ、その部分を構成する。図面は本発明の実施例を例示するものであり、説明と共に発明の概要を説明するものである。
【００２０】
ここで、本発明の好ましい実施形態を詳細に参照する。この実施形態は、添付の図面で説明される。可能な限り、同一の参照番号を図面および説明で用い、同一または同等の部分を参照する。
【００２１】
（第１の実施形態）
図４は、本発明の第１の実施例にしたがったＬＣＤパネルの一つのピクセルを図式的に表している上面図である。そして、図５は、図４の線Ｉ〜Ｉ’に沿った断面図を図式的に示す。図４と５を参照すると、本実施形態のＬＣＤパネル２００は、第１の基板２１０、第２の基板２２０、液晶（ＬＣ）層２３０、複数の第１の調整パターン（例えば突起２４０ａ）、複数の第２の調整パターン（例えば突起２４０ｂ）、複数の第３の調整パターン（例えば突起２４０ｃ）から成る。ＬＣ層２３０は、第１の基板２１０と第２の基板２２０の間に配置される。第２の基板２２０の上で、複数の第１のサブピクセル領域２２２ａ、複数の第２のサブピクセル領域２２２ｂ、複数の第３のサブピクセル領域２２２ｃが定められる。その上で、複数の第１の調整パターンは、第１の方向Ｄ１と第２の方向Ｄ２に沿って第１のサブピクセル領域２２２ａに配置され、ここで第１の方向Ｄ１が第２の方向Ｄ２で角度θ１である。複数の第２の調整パターンは、第３の方向Ｄ３に沿って第２のサブピクセル領域２２２ｂに配置され、第３の方向Ｄ３は第４の方向Ｄ４に対して角度θ２である。そして、複数の第３の調整パターンは、第５の方向Ｄ５と第６の方向Ｄ６に沿って第３のサブピクセル領域２２２ｃに配置され、第５の方向Ｄ５が第６の方向Ｄ６に対して角度θ３であり、θ１＜θ２＜θ３である。
【００２２】
上述のＬＣＤパネル２００において、たとえば、第１の基板２１０は薄膜トランジスタ（ＴＦＴ）配列基板であり、第２の基板２２０はカラーフィルター（ＣＦ）基板である。またさらに、複数の第１のカラーフィルターパターン２２４ａが各々の第１のサブピクセル領域２２２ａに配置され、複数の第２のカラーフィルターパターン２２４ｂが各々の第２のサブピクセル領域２２２ｂに配置され、複数の第３のカラーフィルターパターン２２４ｃが各々の第３のサブピクセル領域２２２ｃに配置される。ここで、第１のカラーフィルターパターン２２４ａの伝達波長は、第２のカラーフィルターパターン２２４ｂより大きく、第２のカラーフィルターパターン２２４ｂの伝達波長は、第３のカラーフィルターパターン２２４ｃより大きい。この実施形態では、たとえば、第１のカラーフィルターパターン２２４ａは赤のカラーフィルターパターンであり、第２のカラーフィルターパターン２２４ｂは緑のカラーフィルターパターンであり、第３のカラーフィルターパターン２２４ｃは青いカラーフィルターパターンである。
【００２３】
前述のとおり、第２の透明な電極層２２６はさらに第２の基板２２０に配置され、第１、第２、第３のカラーフィルターパターン２２４ａ、２２４ｂ、２２４ｃを覆う。第２の透明な電極層２２６は通常の電極でよく、その材料はインジウム酸化スズ（ＩＴＯ）、インジウム酸化亜鉛（ＩＺＯ）または他の透明な導電材料とすることができる。さらに、突起２４０ａ、２４０ｂ、２４０ｃの材料は、カラーフィルター材料、透明な感光材料またはその組合せとすることができる。さらに、角度θ１、θ２、θ３の大きさは、使用されたカラーフィルターパターンの色に従い調節される。たとえば、第１のカラーフィルターパターン２２４ａが赤いカラーフィルターパターンであるとき、角度θ１は９０度とすることができる。第２のカラーフィルターパターン２２４ｂが緑のカラーフィルターパターンであるとき、角度θ２は９０度より大きく、１２０度以下とすることができ、望ましくは１１６度とすることができる。第３のカラーフィルターパターン２２４ｃは青いカラーフィルターパターンであるとき、角度θ３はおよそ１１０度から１３０度、望ましくは１２４度とすることができる。
【００２４】
第１、第２、第３の調整パターン（例えば突起２４０ａ、２４０ｂ、２４０ｃ）が異なる方向に沿って第１、第２、第３のサブピクセル領域２２２ａ、２２２ｂ、２２２ｃにそれぞれ配列されるので、ＬＣ層２３０内の液晶分子２３２は異なる傾斜角で配置される。したがって、白色光がＬＣ層２３０を通過したあと、第１、第２、第３サブピクセル領域２２２ａ、２２２ｂ、２２２ｃ内の様々な波長−明度分布を形成することができる。さらに、第１、第２、第３のサブピクセル領域２２２ａ、２２２ｂ、２２２ｃの透過率が、異なる波長の光に対して様々であるので、第１、第２、第３のカラーフィルターパターン２２４ａ、２２４ｂ、２２４ｃの透過率にマッチする、第１、第２、第３のサブピクセル領域２２２ａ、２２２ｂ、２２２ｃの波長分布を得ることができる。その結果、白色光が第１、第２、第３のサブピクセル領域２２２ａ、２２２ｂ、２２２ｃを通過したあと、同程度の明るさによる第１のカラー光（例えば赤色光）、第２のカラー光（例えば緑色光）、第３のカラー光（例えば青色光）が発生する。そうすることによって、中間調イメージを表示する場合のＬＣＤパネル２００の色シフトの現象を改善することができ、したがって表示品質を上げることができる。
【００２５】
図６は、本発明の第１の実施例にしたがったもう一つのＬＣＤパネルを図式的に表している断面図である。図６を参照すると、ＬＣＤパネル２００ａは図５のＬＣＤパネル２００と類似するが、違いは以下の通りである。ＬＣＤパネル２００について、第１、第２、第３の調整パターンは、第２の透明な電極層２２６上の突起２４０ａ、２４０ｂ、２４０ｃに配置され、一方で、ＬＣＤパネル２００ａについて、第１、第２、第３の調整パターンが第２の透明な電極層２２６中のスリット２４５ａ、２４５ｂ、２４５ｃで形成される。言い換えると、たとえば、第１、第２、第３の調整パターンは、第１の実施形態の突起またはスリットとすることができる。
【００２６】
図７は本発明の第２の実施例にしたがったＬＣＤパネルの一つのピクセルを図式的に表している上面図である。そして、図８は、図７の線II−II’に沿った断面図を図式的に表す。図７および図８を参照すると、本実施形態のＬＣＤパネル２００ｂは、第１の実施形態のＬＣＤパネル２００に類似しており、その違いは以下に示すとおりである。この実施の形態のＬＣＤパネル２００ｂでは、第１の調整パターンは、第２の基板２２０の第１のサブピクセル領域２２２ａと第１の基板２１０の上のある領域との上に配置されている。この領域は、第１の方向Ｄ１と第２の方向Ｄ２に沿って第２の基板２２０の第１のサブピクセル領域２２２ａの反対側にある。同様に、第２の調整パターンでは、第２の基板２２０の第２のサブピクセル領域２２２ｂと、第１の基板２１０上のある領域に配置されている。この領域は、第３の方向Ｄ３と第４の方向Ｄ４に沿って、第２の基板２２０の第２のサブピクセル領域２２２ｂの反対側にある。同様に、第３の調整パターンは、第２の基板２２０の第３のサブピクセル領域２２２ｃと第１の基板２１０上のある領域に配置されている。この領域は、第５の方向Ｄ５と第６の方向Ｄ６に沿って第２の基板２２０の第３のサブピクセル領域２２２ｃの反対側にある。
【００２７】
たとえば、第１の調整パターンは突起２４０ａとスリット２４５ａを含んでもよく、第２の調整パターンは突起２４０ｂとスリット２４５ｂを含んでもよく、第３の調整パターンは突起２４０ｃとスリット２４５ｃを含んでもよい。ここでは、突起２４０ａ、２４０ｂ、２４０ｃはたとえば第２の基板２２０の第２の透明な電極層２２６に配置され、スリット２４５ａ、２４５ｂ、２４５ｃはたとえば第１の基板２１０の第１の透明な電極層２１２内に形成される。さらに、第１の透明な電極層２１２は、パターン化された透明な電極層であってもよく、複数のピクセル電極２１３を含んでもよい。この第１の透明な電極層２１２の材料は、第２の透明な電極層２２６の材料と類似している。
【００２８】
留意すべき点として、突起２４０ａ、２４０ｂ、２４０ｃを第１の基板２１０の第２の透明な電極層２１２に配置することができる点と、スリット２４５ａ、２４５ｂ、２４５ｃを第２の基板２２０の第２の透明な電極層２２６に形成できる点がある。また、第１、第２、第３の調整パターンは、単に第１と第２の透明な電極層２１２と２２６に配置されている突起を含むことができ、または第１と第２の透明な電極層２１２と２２６で形成されるスリットを含むことができる。
【００２９】
（第３の実施形態）
図９は、本発明の第３の実施例にしたがったＬＣＤパネルの一つのピクセルを図式的に表している上面図である。図９を参照すると、本実施形態の液晶パネル２００ｃは第１の実施形態においてＬＣＤパネル２００と類似し、違いのみを以下に記す。この実施形態では、第１の方向Ｄ１は第３の方向Ｄ３と同一であり、第２の方向Ｄ２は第４の方向Ｄ４と同一である。ここで、θ１はθ２と等しい。すなわち、中間調イメージを表示する場合のＬＣＤパネルのカラーシフトは、本発明に基づく第３の調整パターン（例えば突起２４０ｃ）の調整方向を単に変えることによって改善することができる。
【００３０】
以上のように、本発明に従うＬＣＤパネルは、異なるサブピクセル領域内の調整パターンに、異なる調整方向を与えることを主に目的とする。そのため、それぞれのサブピクセル領域と対応する液晶分子は、様々な傾斜角で配置されることができる。そうすることによって、白色光が異なるサブピクセル領域を通過し、中間調イメージを表示する際に、同程度の明るさによる異なるカラー光を製造することができる。従って、色シフト現象を改善することができる。そして、それによってＬＣＤの表示品質が上がる。
【００３１】
本発明を好ましい実施例によって上述のように説明したが、こうした説明は本発明の限定を目的としたものではない。この技術をよく理解するものであれば、本発明の範囲および考え方から逸脱しない中で、いくらかの修正と変更をすることができる。したがって、本発明の保護している範囲は、添付の特許請求の範囲とその均等の範囲内となる。
【図面の簡単な説明】
【００３２】
【図１】従来のＭＶＡ  ＬＣＤパネルを図式的に表す断面図。
【図２】図１のＬＣＤパネルの一つのピクセルを図式的に表す上面図。
【図３】１つの方向に沿って傾けられた液晶分子を図式的に表す図。
【図４】本発明の第１の実施例において、ＬＣＤパネルの一つのピクセルを図式的に表す上面図。
【図５】図４のＩ〜Ｉ’断面図を図式的に表す図。
【図６】本発明の第１の実施例において、もう一つのＬＣＤパネルを図式的に表す断面図。
【図７】本発明の第２の実施例において、ＬＣＤパネルの一つのピクセルを図式的に表す上面図。
【図８】図７のII−II’断面図を図式的に表す図。
【図９】本発明の第３の実施例において、ＬＣＤパネルの一つのピクセルを図式的に表す上面図。
【符号の説明】
【００３３】
２００  ＬＣＤパネル
２１０  第１の基板
２２０  第２の基板
２２２ａ  第１のサブピクセル領域
２２２ｂ  第２のサブピクセル領域
２２２ｃ  第３のサブピクセル領域
２２４ａ  第１のカラーフィルターパターン
２２４ｂ  第２のカラーフィルターパターン
２２４ｃ  第３のカラーフィルターパターン
２２６  電極層
２３２  液晶分子
２４０ａ、２４０ｂ、２４０ｃ  突起
２４５ａ、２４５ｂ、２４５ｃ  電極層中のスリット
Ｄ１  第１の方向
Ｄ２  第２の方向
Ｄ３  第３の方向
Ｄ４  第４の方向
Ｄ５  第５の方向
Ｄ６  第６の方向
【図１】
2008033254.tif 000003
【図２】
2008033254.tif 000004
【図３】
2008033254.tif 000005
【図４】
2008033254.tif 000006
【図５】
2008033254.tif 000007
【図６】
2008033254.tif 000008
【図７】
2008033254.tif 000009
【図８】
2008033254.tif 000010
【図９】
2008033254.tif 000011